(57)【要約】      （修正有）【課題】ガスの漏れを防止しつつ、施術対象にガスを吸引させることのできるガス吸引補助具を提供する。【解決手段】空気遮断性を有する素材により形成され、施術対象の頭部全体を覆う中空状のヘルメット部１１と、空気遮断性および柔軟性を有する素材により形成され、施術対象の頭部が挿通可能な内径を有する円筒状のスリーブ部１２とを備え、ヘルメット部１１は、ヘルメット部内へガスを流入するための給気口１１１と、ヘルメット部内の気体を排出するための排気口１１２と、施術対象の頭部をヘルメット部内へ挿入させるために開口された挿入口１１０とを備え、スリーブ部は、一方開口端部と挿入口とが連結するようにしてヘルメット部に連結し、スリーブ部の他方開口端部には、当該他方開口部の内周面と施術対象の首部とを密着させるための密着手段を設けてガス吸引補助具を構成する。【選択図】図２
0003154649.tif 000002
【実用新案登録請求の範囲】
【請求項１】
所定のガスを施術対象に吸引させるためのガス吸引補助具であって、
空気遮断性を有する素材により形成され、前記施術対象の頭部全体を覆う中空状のヘルメット部と、
空気遮断性および柔軟性を有する素材により形成され、前記施術対象の頭部が挿通可能な内径を有する円筒状のスリーブ部とを備え、
前記ヘルメット部は、
前記ヘルメット部内へ前記ガスを流入するための給気口と、
前記ヘルメット部内の気体を排出するための排気口と、
前記施術対象の頭部を前記ヘルメット部内へ挿入させるために開口された挿入口とを備え、
前記スリーブ部は、一方開口端部と前記挿入口とが連結するようにして前記ヘルメット部に連結し、
前記スリーブ部の他方開口端部には、当該他方開口部の内周面と前記施術対象の首部とを密着させるための密着手段が設けられる、ガス吸引補助具。
【請求項２】
前記ヘルメット部は、透明に形成される、請求項１に記載のガス吸引補助具。
【請求項３】
前記ヘルメット部は、硬質性を有するよう形成される、請求項１に記載のガス吸引補助具。
【請求項４】
前記ヘルメット部は、ポリスチレン素材で形成される、請求項３に記載のガス吸引補助具。
【請求項５】
前記ヘルメット部は、略半球形状に形成される、請求項１に記載のガス吸引補助具。
【請求項６】
前記ヘルメット部は、略半卵型形状に形成される、請求項４に記載のガス吸引補助具。
【請求項７】
前記密着手段は、
前記他方開口端部の開口縁に沿って環状を成すよう形成されたパイピング部と、
前記パイピング部の内部に挿通された紐部とを備え、
前記密着手段は、使用者が前記紐部を引き絞ることにより前記他方開口部を巾着状に絞り閉じて、当該他方開口部の内周面と前記施術対象の首部とを密着させる、請求項１に記載のガス吸引補助具。
【請求項８】
前記紐部は弾性素材により形成される、請求項７に記載のガス吸引補助具。
【請求項９】
前記ヘルメット部および前記スリーブ部は、各々個別に形成され、
前記スリーブ部は、
前記一方開口端部の開口縁に沿って環状を成すよう形成されたパイピング部と、
前記パイピング部の内部に挿通された紐部とを備え、
前記ヘルメット部は、前記紐部を前記パイピング部越しに係止する係止部を前記挿入口の開口縁に沿ってさらに備え、
前記スリーブ部は、前記一方開口端部が前記挿入口と連結するようにして前記ヘルメット部に連結される、請求項１および６の何れか１つに記載のガス吸引補助具。
【請求項１０】
前記ヘルメット部および前記スリーブ部は、前記一方開口端部と前記挿入口とが連結するようにして、予め一体的に形成される、請求項１に記載のガス吸引補助具。
【請求項１１】
前記ガスは、麻酔ガスである、請求項１に記載のガス吸引補助具。
【考案の詳細な説明】
【技術分野】
【０００１】
本考案はガス吸引補助具に関し、より特定的には、ガスを施術対象に吸引させるためのガス吸引補助具に関する。
【背景技術】
【０００２】
マウスや猿等の動物を施術対象として手術を行う際は、安全且つ正確に手術を実施するために、施術対象を鎮静状態に維持することが望ましい。そして、施術対象を鎮静状態に維持する手法として、施術中において施術対象に麻酔ガスを継続的に吸引させる手法がしばしば用いられる。施術対象にこのような麻酔を施す場合、一般的に、麻酔ガスを発生させる麻酔ガス発生装置、および当該ガスを施術対象の鼻や口に誘導し、吸引させる麻酔マスクなどが用いられる。
【０００３】
上記のような麻酔マスクの一例が、特許文献１に開示されている。特許文献１に開示される動物用麻酔ガス吸入マウスは、円錐状に開口する円錐状開口部を施術対象の口に押し当てることにより、当該円錐状開口部の頂部より供給される麻酔ガスを施術対象に吸入させるものである。
【先行技術文献】
【特許文献】
【０００４】
【特許文献１】特開２００１−３３３９８２号公報
【考案の概要】
【考案が解決しようとする課題】
【０００５】
上記の通り、特許文献１等に開示される従来の麻酔マスクでは、施術中において、例えば、ゴムバンドなどにより当該麻酔マスクを施術対象の口に押し当て続ける必要がある。そのため、施術中に施術対象の口と麻酔マスクとの間にすき間が生じたり、施術対象の口から麻酔マスクが外れたりし易く、麻酔ガスが漏れてしまう可能性があった。そして、施術中に麻酔ガスが漏れてしまうと、施術者が当該麻酔ガスを吸引してしまい、正常な施術が困難となる可能性があった。
【０００６】
本考案は上記の課題を鑑みて成されたものであり、ガスの漏れを防止しつつ、施術対象にガスを吸引させることのできるガス吸引補助具を提供することを目的とする。
【課題を解決するための手段】
【０００７】
上記の課題を解決するため、本願は以下の構成を採用した。すなわち、第１の考案は、所定のガスを施術対象に吸引させるためのガス吸引補助具であって、空気遮断性を有する素材により形成され、施術対象の頭部全体を覆う中空状のヘルメット部と、空気遮断性および柔軟性を有する素材により形成され、施術対象の頭部が挿通可能な内径を有する円筒状のスリーブ部とを備え、ヘルメット部は、ヘルメット部内へガスを流入するための給気口と、ヘルメット部内の気体を排出するための排気口と、施術対象の頭部をヘルメット部内へ挿入させるために開口された挿入口とを備え、スリーブ部は、一方開口端部と挿入口とが連結するようにしてヘルメット部に連結し、スリーブ部の他方開口端部には、当該他方開口部の内周面と施術対象の首部とを密着させるための密着手段が設けられる、ガス吸引補助具である。
【０００８】
第２の考案は、第１の考案において、ヘルメット部は、透明に形成されることを特徴とする。
【０００９】
第３の考案は、第１の考案において、ヘルメット部は、硬質性を有するよう形成されることを特徴とする。
【００１０】
第４の考案は、第３の考案において、ポリスチレン素材で形成されることを特徴とする。
【００１１】
第５の考案は、第１の考案において、略半球形状に形成されることを特徴とする。
【００１２】
第６の考案は、第４の考案において、略半卵型形状に形成されることを特徴とする。
【００１３】
第７の考案は、第１の考案において、密着手段は、他方開口端部の開口縁に沿って環状を成すよう形成されたパイピング部と、パイピング部の内部に挿通された紐部とを備え、密着手段は、使用者が紐部を引き絞ることにより他方開口部を巾着状に絞り閉じて、当該他方開口部の内周面と施術対象の首部とを密着させることを特徴とする。
【００１４】
第８の考案は、第７の考案において、紐部は弾性素材により形成されることを特徴とする。
【００１５】
第９の考案は、第１および第６の考案の何れか１つにおいて、ヘルメット部およびスリーブ部は、各々個別に形成され、スリーブ部は、一方開口端部の開口縁に沿って環状を成すよう形成されたパイピング部と、パイピング部の内部に挿通された紐部とを備え、ヘルメット部は、紐部をパイピング部越しに係止する係止部を挿入口の開口縁に沿ってさらに備え、スリーブ部は、一方開口端部が挿入口と連結するようにしてヘルメット部に連結されることを特徴とする。
【００１６】
第１０の考案は、第１の考案において、ヘルメット部およびスリーブ部は、一方開口端部と挿入口とが連結するようにして、予め一体的に形成されることを特徴とする。
【００１７】
第１１の考案は、第１の考案において、ガスは、麻酔ガスであることを特徴とする。
【考案の効果】
【００１８】
第１の考案によれば、ガスの漏れを防止しつつ、施術対象にガスを吸引させることができる。具体的には、施術対象の頭部全体がヘルメット部により覆われており、当該ヘルメット部が施術対象の頭部から外れ難いため、ガスが漏れにくい。また、スリーブ部が柔軟性素材により形成され、スリーブ部の開口部は施術対象の首の形状に合わせて密着するため、ヘルメット部等の位置が多少変化しても開口部からガスが漏れ難い。
【００１９】
第２の考案によれば、施術者はヘルメット部内を視認することができ、施術対象の状態を容易に確認することができる。
【００２０】
第３の考案によれば、施術中にヘルメット部が破損し難い。また、ヘルメット部が変形し難いため、ヘルメット部を施術対象に被せる作業が容易となる。
【００２１】
第４の考案によれば、ヘルメット部を汎用的な素材で、安価且つ容易に成型することができる。
【００２２】
第５の考案によれば、ヘルメット部が施術者の衣服や器具等に引っ掛かり難い形状であるため、ヘルメット部が施術対象から外れ難い。
【００２３】
第６の考案によれば、多様な動物の頭部形状を覆うことができる。
【００２４】
第７の考案によれば、使用者は簡単な操作でスリーブ部の開口部を閉じ、開口部の内周面と前記施術対象の首部とを密着させることができる。
【００２５】
第８の考案によれば、紐部の弾性力によりスリーブ部の開口部の内周面が前記施術対象の首部に緊締されるため、開口部の内周面と前記施術対象の首部との密着状態を維持し易く、より一層、ガスの漏れを防止し易くなる。
【００２６】
第９の考案によれば、スリーブ部とヘルメット部を簡単な作業で連結させることが可能である。また、スリーブ部の両端開口部を互いに同じ構成とすることができるため、どちらの開口部から施術対象の頭部を挿入しても、一方開口部をヘルメット部と連結し、且つ、他方開口部を施術対象の首部に密着させて、ガス吸引補助具を施術対象に適切に装着させることができる。また、スリーブ部の両端開口部を互いに同じ構成であるため、スリーブ部の製造が容易となり、製造コストを抑制することができる。また、スリーブ部とヘルメット部が分離可能であるため、使用後の洗浄が容易となり、清潔に繰り返し使用することができる。
【００２７】
第１０の考案によれば、施術者は、ガス吸引補助具を施術対象に装着させる際に、ヘルメット部およびスリーブ部を連結させる作業を行う必要がなく、素早く施術を開始することができる。
【００２８】
第１１の考案によれば、容易に施術対象を鎮静状態に維持することができる。
【図面の簡単な説明】
【００２９】
【図１】本考案の実施形態に係るガス吸引補助具１の側面図
【図２】本考案の実施形態に係るガス吸引補助具１の分解側面図
【図３】本考案の実施形態に係るヘルメット部１１を図２のα方向から見た正面図
【図４】本考案の実施形態に係るヘルメット部１１を図２のβ方向から見た平面図
【図５】本考案の実施形態に係るスリーブ部１２の斜視図
【図６】本考案の実施形態に係るガス吸引補助具１の使用例を示す図
【考案を実施するための形態】
【００３０】
以下、本考案の実施形態に係るガス吸引補助具１について説明する。図１は、ガス吸引補助具１の側面図である。図１に示すように、ガス吸引補助具１は、大別してヘルメット部１１およびスリーブ部１２によって構成される。ガス吸引補助具１をヘルメット部１１およびスリーブ部１２に分解した様子を、図２に示す。なお、図２は、ガス吸引補助具１の分解側面図である。
【００３１】
先ず、ヘルメット部１１について説明する。ヘルメット部１１は、施術対象の頭部全体を覆う中空状の部材である。図２、図３、および図４に示すように、ヘルメット部１１は、一部を開口した略半卵型形状を成す部材である。なお、図３は、ヘルメット部１１を図２のα方向から見た正面図である。また、図４は、ヘルメット部１１を図２のβ方向から見た平面図である。多くの動物の頭部が略半卵型形状であることから、ヘルメット部１１を略半卵型形状とすることにより、多様な動物の頭部形状をヘルメット部１１によって覆うことができる。
【００３２】
ヘルメット部１１は、透明に形成される。ヘルメット部１１を透明に形成することにより、施術者はヘルメット部１１の内部を視認することができ、施術中において施術対象の状態を容易に確認することができる。例えば、ヘルメット部１１は、着色していないポリスチレン樹脂などの素材により形成すると良い。なお、上記に示したヘルメット部１１の素材は一例であり、透明性、および硬質性を有する素材であれば、従来周知の任意の素材を用いても構わない。
【００３３】
また、ヘルメット部１１は、硬質性を有する素材により形成される。ヘルメット部１１を硬質性素材で形成することにより、施術中にヘルメット部１１が破損し難い。また、ヘルメット部１１が変形し難いため、ガス吸引補助具１を施術対象に装着する際に、ヘルメット部１１を施術対象の頭部に被せる作業が容易となる。また、ヘルメット部１１が硬質性を有する場合、形状が略半卵型形状に維持され、ヘルメット部が施術者の衣服や器具等に引っ掛かり難く、ヘルメット部１１が施術対象から外れることを防止する効果を得ることができる。
【００３４】
また、ヘルメット部１１は、挿入口１１０、給気口１１１、排気口１１２、および係止部１１３を備える。
【００３５】
挿入口１１０は、施術対象の頭部を挿入するために形成された前述の開口部である。挿入口１１０の大きさおよび形状は、施術対象の頭部の大きさおよび形状に応じて設計することが好ましい。
【００３６】
給気口１１１は、ヘルメット部１１の内部へ麻酔ガス等の所定のガスを流入するためにヘルメット部１１の内面から外面へ貫通して形成された孔である。給気口１１１は、例えば、ヘルメット部１１の長軸線が通る位置に形成される。給気口１１１は、所定のガスを送出する給気管（図示せず）と接続され、ヘルメット部１１の内部へ当該ガスを導入する。給気口１１１から導入するガスとしては、例えば、所定濃度に調整した気化イソフルランなどの任意のガスを用いて良い。なお、上記のような給気管との接続を容易とするため、給気口１１１は、ヘルメット部１１の外側方向へ略円筒状に突出した筒状部の貫通孔として形成することが好ましい。以下では、ヘルメット部１１の内部へ麻酔ガスが導入される例について説明する。
【００３７】
排気口１１２は、ヘルメット部１１内の気体を排出するためにヘルメット部１１の内面から外面へ貫通して形成された孔である。排気口１１２は、例えば、ヘルメット部１１の短軸線が通る位置に形成される。排気口１１２は、気体を吸引する排気管（図示せず）と接続され、ヘルメット部１１の内部の気体を排気する。このように、ヘルメット部１１の内部の気体を適宜排気することにより、ヘルメット部１１内に過剰な圧がかかることがないため、ガス吸引補助具１からの麻酔ガスの漏れを防ぐことができる。なお、上記のような排気管との接続を容易とするため、排気口１１２は、ヘルメット部１１の外側方向へ略円筒状に突出した筒状部の貫通孔として形成することが好ましい。
【００３８】
係止部１１３は、挿入口１１０の開口縁に沿って形成された凸条の部位である。詳細は後述するが、係止部１１３は、ヘルメット部１１とスリーブ部１２とを連結する際に用いられる。
【００３９】
次いで、スリーブ部１２について説明する。図２および図５に示すように、スリーブ部１２は、施術対象の頭部が挿通可能な内径を有する円筒状の部材である。なお、図５はスリーブ部１２の斜視図である。スリーブ部１２は、例えば、ビニールやナイロンなどの素材で、柔軟性を有するよう形成される。
【００４０】
以下では、ヘルメット部１１の挿入口１１０と連結されるスリーブ部１２の一方開口端部を開口部１２０Ａとする。また、施術対象の首部に密着するよう閉塞される他方開口端部を開口部１２０Ｂとする。スリーブ部１２は、パイピング部１２１Ａ、パイピング部１２１Ｂ、紐１２２Ａ、および紐１２２Ｂを備える。
【００４１】
パイピング部１２１Ａおよびパイピング部１２１Ｂは、各々、開口部１２０Ａおよび開口部１２０Ｂの開口縁に沿って環状を成すよう形成される。パイピング部１２１Ａおよびパイピング部１２１Ｂは、外周面側の何処かにおいて部分的に開口し、パイピング部１２１Ａおよびパイピング部１２１Ｂの内部を貫通するように紐１２２Ａおよび紐１２２Ｂが各々挿入される。
【００４２】
紐１２２Ａおよび紐１２２Ｂは、各々、柔軟性を有する紐状の部材である。紐１２２Ａおよび紐１２２Ｂは、柔軟性を有していれば、任意の素材で形成されて良い。例えば、ポリエステル糸等を編み込んで成る組み紐を紐１２２Ａおよび紐１２２Ｂとして用いて良い。なお、紐１２２Ａおよび紐１２２Ｂは、各々、パイピング部１２１Ａおよびパイピング部１２１Ｂの開口部から所定の長さだけ余り出る長さとする。また、紐１２２Ａおよび紐１２２Ｂは、各々、輪状に形成されていても良い。
【００４３】
上記のような構成から、施術者は、紐１２２Ａを引き絞ることによって開口部１２０Ａを、紐１２２Ｂを引き絞ることによって開口部１２０Ｂを、各々、簡単な操作で閉塞可能である。
【００４４】
施術者は、紐１２２Ａをパイピング部１２１Ａ越しにヘルメット部１１の係止部１１３に回しかけ、紐１２２Ａを引き絞ることによって、開口部１２０Ａと挿入口１１０が連結するようにしてヘルメット部１１とスリーブ部１２とを連結することができる（図１参照）。このように、スリーブ部とヘルメット部とは、使用時においてのみ連結可能であり、すなわち使用後は分離可能である。故に、ガス吸引補助具１は、使用後において洗浄が容易であり、清潔に繰り返し使用することができる。
【００４５】
次いで、ガス吸引補助具１を施術対象に装着させる方法について説明する。先ず、施術者は、スリーブ部１２に施術対象の頭部を通し、スリーブ部１２を施術対象の首部近傍に配置する。この際、スリーブ部１２の両端開口部が同じ構成であるため、開口部１２０Ａおよび開口部１２０Ｂのどちらから施術対象の頭部を挿入しても、一方開口部をヘルメット部１１と連結し、且つ、他方開口部を施術対象の首部に密着させて、ガス吸引補助具を施術対象に適切に装着させることができる。次いで、施術者は、ヘルメット部１１を施術対象の頭部に覆い被せ、前述の通りに紐１２２Ａを引き絞ってヘルメット部１１とスリーブ部１２とを連結する。そして、施術者は、紐１２２Ｂを引き絞り、施術対象の首部と開口部１２０Ｂとが密着するように開口部１２０Ｂを閉塞する。この際、使用者は簡単な操作で開口部１２０Ｂを閉じ、開口部１２０Ｂの内周面と前記施術対象の首部とを密着させることができる。なお、引き絞った紐１２２Ａおよび紐１２２Ｂは、各々、ヘルメット部１１および施術対象の首部との密着状態が緩まないように結び止めておくことが好ましい。
【００４６】
上記の操作によって、施術者は、図６のように施術対象にガス吸引補助具１を装着させることができる。図６は、ガス吸引補助具１の使用例を示す図である。上記のようにして施術対象に装着されたガス吸引補助具１の内部は密閉状態となり、給気口１１１から導入される麻酔ガスが外部に漏れることがない。
【００４７】
なお、施術者は、予めヘルメット部１１とスリーブ部１２とを連結させておいて、施術対象の頭部を、スリーブ部１２を通してヘルメット部１１へ挿入しても構わない。
【００４８】
以上より、本考案に係るガス吸引補助具１によれば、麻酔ガスの漏れを防止しつつ、施術対象にガスを吸引させることができる。したがって、施術者が漏れたガスを吸引する可能性を抑制し、安全な施術が可能となる。
【００４９】
なお、上記実施形態では、ヘルメット部１１が略半卵型形状を成す例について説明したが、施術対象の頭部を覆うことが可能であれば、ヘルメット部１１の形状は上記に限らず、任意の形状に形成しても構わない。例えば、ヘルメット部１１が略半球形状を成していれば、ヘルメット部が施術者の衣服や器具等に引っ掛かり難く、上記のように略卵型形状で形成された場合と同様にヘルメット部が施術対象から外れ難いという効果を得ることができる。
【００５０】
また、上記実施形態では、ヘルメット部１１が透明に形成される例について説明したが、上記に限らず、ヘルメット部１１は、着色成型されても構わない。
【００５１】
また、上記実施形態では、ヘルメット部１１が硬質性素材で形成される例について説明したが、ヘルメット部１１は、軟質性素材で形成されても構わない。
【００５２】
また、上記実施形態に示した給気口１１１、および排気口１１２の形成位置は一例に過ぎず、給気口１１１、および排気口１１２をヘルメット部１１の任意の位置に形成しても構わない。また、ヘルメット部１１に形成する給気口１１１、および排気口１１２の数は各々１つに限る必要はなく、複数の給気口１１１、および排気口１１２をヘルメット部１１に形成しても構わない。
【００５３】
また、上記実施形態では、紐１２２Ｂとして組み紐を用いる例を示したが、紐１２２Ｂを弾性素材により形成しても構わない。具体的には、紐１２２Ｂとしてゴム紐を用いても構わない。このように、紐１２２Ｂを弾性素材により形成した場合、紐の弾性力により開口部１２０Ｂの内周面が施術対象の首部に緊締されるため、開口部１２０Ｂの内周面と施術対象の首部との密着状態を維持し易く、より一層、ガスの漏れを防止し易くなる。なお、紐１２２Ｂとして用いるゴム紐は、環状の輪ゴムであっても良い。
【００５４】
また、上記実施形態では、紐１２２Ｂおよびパイピング部１２１Ｂによって開口部１２０Ｂを施術対象の首部に密着させる例について説明したが、開口部１２０Ｂを施術対象の首部に密着可能であれば、他の構成を用いても構わない。例えば、紐１２２Ｂおよびパイピング部１２１Ｂの代わりに、面ファスナーを開口部１２０Ｂ近傍に備える構成としても構わない。このような構成とする場合、施術者は、施術対象の首部をスリーブ部１２内部に通し、開口部１２０Ｂが施術対象の首部に密着するようスリーブ部１２を施術対象の首部に巻き付けた上で、開口部１２０Ｂの外周を面ファスナーにより固定する。
【００５５】
また、上記実施形態では、ヘルメット部１１およびスリーブ部１２を分離可能に構成する例について説明したが、ヘルメット部１１およびスリーブ部１２は一体的に形成しても構わない。このような構成とした場合、施術者は、ガス吸引補助具を施術対象に装着させる際に、ヘルメット部およびスリーブ部を連結させる作業を行う必要がなく、素早く施術を開始することができる。
【産業上の利用可能性】
【００５６】
本考案に係るガス吸引補助具は、施術対象にガスを吸引させることのできるガス吸引補助具などとして有用である。
【符号の説明】
【００５７】
１        ガス吸引補助具
１１      ヘルメット部
１２      スリーブ部
１１０    挿入口
１１１    給気口
１１２    排気口
１１３    係止部
１２０    開口部
１２１    パイピング部
１２２    紐
【図１】
0003154649.tif 000003
【図２】
0003154649.tif 000004
【図３】
0003154649.tif 000005
【図４】
0003154649.tif 000006
【図５】
0003154649.tif 000007
【図６】
0003154649.tif 000008